(57)【要約】【課題】互いに異なる流路抵抗の吐出流路が分岐して設けられていても、構造上流路抵抗が高くなる吐出流路から所望量の流体を吐出させることができる水栓を提供する。【解決手段】流路抵抗が異なる複数の吐出流路２３，２５が分岐して設けられた水栓において、複数の吐出流路における流路抵抗の差を低減する抵抗差低減手段４０を備えた。【選択図】図３
2018053520.tif 000002
【特許請求の範囲】
【請求項１】
流路抵抗が異なる複数の吐出流路が分岐して設けられた水栓において、
前記複数の吐出流路における流路抵抗の差を低減する抵抗差低減手段を備えたことを特徴とする水栓。
【請求項２】
前記抵抗差低減手段は、少なくとも一つの前記吐出流路の流路抵抗を変更可能な抵抗可変手段を有する請求項１に記載の水栓。
【請求項３】
前記抵抗可変手段は、前記吐出流路に空気を取込む空気取込部を有する請求項２に記載の水栓。
【請求項４】
前記空気取込部は、エゼクタで構成されている請求項３に記載の水栓。
【請求項５】
前記空気取込部は、前記空気の取込口の開口面積を変更可能な開口可変部を有する請求項３又は４に記載の水栓。
【請求項６】
前記抵抗差低減手段は、少なくとも一つの前記吐出流路の流路断面積を変更可能な断面積可変手段を有する請求項１〜５の何れか一つに記載の水栓。
【請求項７】
前記断面積可変手段は、少なくとも一つの前記吐出流路に配置され、互いに隣接して前記吐出流路内の流体の流れで相対回転する第１の板及び第２の板を有し、
前記第１の板及び前記第２の板は、相対回転により互いに重なる位置に連通開口部と閉塞部とが形成されている請求項６に記載の水栓。
【請求項８】
前記断面積可変手段は、少なくとも一つの前記吐出流路に設けられ、開度を調整可能な弁を有している請求項６に記載の水栓。
【請求項９】
前記抵抗差低減手段は、一次側の流れを分配して前記複数の吐出流路への流入量を変更可能な分配量可変手段を有することを特徴とする請求項１に記載の水栓。
【発明の詳細な説明】
【技術分野】
【０００１】
本発明は、複数の吐出流路が分岐して設けられた水栓に関する。
【背景技術】
【０００２】
複数の種類の吐出流路を分岐して設けた水栓が知られている。例えば特許文献１には、泡沫吐水又はミスト吐水と、その他の吐水と、を同時に吐水可能にした吐水具が提案されている。特許文献２には、２種類以上の異なる孔径の吐水孔から同時にシャワー流が噴出されるシャワーヘッドが提案されている。
【先行技術文献】
【特許文献】
【０００３】
【特許文献１】特開２００１−１９８０３７号公報
【特許文献２】実公平４−３６３９号公報
【発明の概要】
【発明が解決しようとする課題】
【０００４】
しかしながら互いに異なる種類の複数の吐出流路を分岐して設けると、流路抵抗が互いに異なるため、流路抵抗の大きい吐出流路から所望量の流体を吐出させることが困難となる。特に、流路抵抗の差が大きい場合にはその現象が顕著であった。
【０００５】
そこで、本発明は、上記事情を鑑みてなされたものであり、互いに異なる流路抵抗の吐出流路が分岐して設けられていても、構造上流路抵抗が高くなる吐出流路から所望量の流体を吐出させることができる水栓を提供することを目的とする。
【課題を解決するための手段】
【０００６】
上記の課題を解決するために、本発明の水栓は、流路抵抗が異なる複数の吐出流路が分岐して設けられた水栓において、前記複数の吐出流路における流路抵抗の差を低減する抵抗差低減手段を備えたことを特徴としている。
【０００７】
本発明の水栓によれば、流路抵抗が異なる複数の吐出流路における流路抵抗の差を抵抗差低減手段により低減している。そのため、流体の一次側からの流れを分岐して複数の吐出流路から吐出する際、そのままでは流路抵抗が高くて所望の吐出量が得られない吐出流路から、より多くの流体を吐出させることができる。これにより、流路抵抗が高い吐出流路を含む複数の吐出流路から所望のバランスで流体を吐出させることが可能となる。
したがって、互いに流路抵抗の異なる複数の吐出流路が分岐して設けられていても、構造上流路抵抗が高くなる吐出流路から所望量の流体を吐出させることができる水栓を提供できる。
【０００８】
本発明の水栓では、前記抵抗差低減手段は、少なくとも一つの前記吐出流路の流路抵抗を変更可能な抵抗可変手段を有していてもよい。
このような水栓によれば、抵抗可変手段により吐出流路の流路抵抗を可変にしたため、吐出流路の流路抵抗を調整することで、複数の吐出流路における流路抵抗の差を低減させて各吐出流路の内圧を調整することができる。そのため、分岐して設けられた各吐出流路の流量を調整して所望のバランスで流体を吐出させることができる。
【０００９】
本発明の水栓では、前記抵抗可変手段は、前記吐出流路に空気を取込む空気取込部を有していてもよい。
このような水栓によれば、空気取込部により吐出流路を流れる流体（液体）中に空気を取込むことで流体中に気泡を形成させることができる。その結果、流体に含まれる気泡により一時的に吐出流路が塞がれることとなり、流体の流れを阻害して流路抵抗を一時的に増加させることができる。したがって、複数の吐出流路の内、流路抵抗が低い流路に空気取込部を設けることにより、複数の吐出流路における流路抵抗の差を低減させて各吐出流路の内圧を調整できる。
【００１０】
本発明の水栓では、前記空気取込部がエゼクタで構成されていてもよい。
このような水栓によれば、空気取込部がエゼクタで構成されているため、吐出流路の流体の流れにより空気を取込むことができ、空気を取り込むための動力が不要である。そのため空気取込部の構成を簡素化できる。
【００１１】
本発明の水栓では、前記空気取込部が前記空気の取込口の開口面積を変更可能な開口可変部を有していてもよい。
このような水栓によれば、空気の取込口の開口面積を可変にしているため、開口面積を調整することで空気の取込量を容易に調整することができる。
【００１２】
本発明の水栓では、前記抵抗差低減手段が少なくとも一つの前記吐出流路の流路断面積を変更可能な断面積可変手段を有していてもよい。
このような水栓によれば、断面積可変手段により吐出流路の流路断面積を可変にしたため、吐出流路の流路断面積を調整することで流路抵抗を調整でき、複数の吐出流路における流路抵抗の差を低減させて各吐出流路の内圧を調整することができる。そのため、分岐して設けられた各吐出流路の流量を調整して所望のバランスで流体を吐出させることができる。
【００１３】
本発明の水栓では、前記断面積可変手段が少なくとも一つの前記吐出流路に配置され、互いに隣接して前記吐出流路内の流体の流れで相対回転する第１の板及び第２の板を有し、前記第１の板及び前記第２の板は、相対回転により互いに重なる位置に連通開口部と閉塞部とが形成されていてもよい。
このような水栓によれば、第１の板及び第２の板が吐出流路内の流体の流れで相対回転することで、一方の板の連通開口部が他方の板の連通開口部と閉塞部とに交互に重なる。そのため、第１の板と第２の板との位置関係によって流路断面積を増減させることができる。これにより吐出流路の流路抵抗を調整でき、複数の吐出流路における流路抵抗の差を低減させて各吐出流路の内圧を調整することができる。
【００１４】
本発明の水栓では、前記断面積可変手段が少なくとも一つの前記吐出流路に設けられ、開度を調整可能な弁を有していてもよい。
このような水栓によれば、開度（開閉量）を調整可能な弁により吐出流路の断面積を可変にしたため、弁の開度を調整することで流路断面積を調整することができる。これにより吐出流路の流路抵抗を調整して、複数の吐出流路における流路抵抗の差を低減させることができ、各吐出流路の内圧を調整することができる。
【００１５】
本発明の水栓では、前記抵抗差低減手段が一次側の流れを分配して前記複数の吐出流路への流入量を変更可能な分配量可変手段を有していてもよい。
このような水栓によれば、分配量可変手段により一次側の流れを分配して複数の吐出流路への流入量を可変にしたため、複数の吐出流路への流入割合を調整でき、これにより複数の吐出流路における流路抵抗の差を低減させることが可能で各吐出流路の内圧を調整することができる。そのため分岐して設けられた各吐出流路の流量を調整して所望のバランスで流体を吐出させることが可能である。
【発明の効果】
【００１６】
本発明によれば、複数の吐出流路における流路抵抗の差を抵抗差低減手段により低減するので、互いに流路抵抗の異なる複数の吐出流路が分岐して設けられていても、構造上流路抵抗が高くなる吐出流路から所望量の流体を吐出させることができる水栓を提供できる。
【図面の簡単な説明】
【００１７】
【図１】本発明の第１実施形態に係る水栓を備えた浴室の概略平面図である。
【図２】本発明の第１実施形態に係る水栓の斜視図である。
【図３】本発明の第１実施形態に係る水栓の吐水管における先端部の断面図である。
【図４】本発明の第１実施形態に係る水栓の動作を説明する断面図であり、（ａ）は吐水開始時を示し、（ｂ）吐水中を示す。
【図５】本発明の第１実施形態の変形例に係る水栓に開口可変部を設けた水栓の動作を説明する断面図であり、（ａ）は開口可変部の開度が大きい状態を示し、（ｂ）は開度が小さい状態を示す。
【図６】本発明の第２実施形態に係る水栓の吐水管における先端部の断面図である。
【図７】本発明の第２実施形態に係る水栓の断面積可変手段における第１の板及び第２の板の平面図であり、（ａ）は一方の板（第１の板）である散水板を示し、（ｂ）は他方の板（第２の板）である回転羽根車を示す。
【図８】本発明の第２実施形態に係る水栓の断面積可変手段における回転羽根車及び散水板の連通開口同士が連通した状態を示しており、（ａ）は平面図、（ｂ）は断面図である。
【図９】本発明の第２実施形態に係る水栓の断面積可変手段における回転羽根車及び散水板の連通開口が閉塞部で閉塞された状態を示しており、（ａ）は平面図、（ｂ）は断面図である。
【図１０】本発明の第３実施形態に係る水栓の吐水管における先端部の断面図であり、（ａ）は弁の開度が大きい状態を示し、（ｂ）は弁の開度が小さい状態を示す。
【図１１】本発明の第４実施形態に係る水栓の吐水管における先端部の断面図であり、（ａ）は分配量可変手段をミスト吐出流路のみに分配させた状態を示し、（ｂ）、（ｃ）は分配量可変手段をミスト吐出流路とカラン吐出流路とに分配させた状態を示し、（ｄ）は分配量可変手段をカラン吐出流路のみに分配させた状態を示す。
【発明を実施するための形態】
【００１８】
本発明の各実施形態を図面に基づいて説明する。なお、以下の説明で用いる図面は模式的なものであり、長さ、幅及び厚みの比率などは実際のものと同一とは限らず、適宜変更することができる。また、本実施形態における「流体」は、「湯または水などの液体」を示している。
【００１９】
（第１実施形態）
本発明の第１実施形態について図１〜図４を用いて説明する。図１は本実施形態に係る水栓を備えた浴室の概略平面図、図２は水栓の斜視図、図３は水栓の吐出管における先端部の断面図、図４は水栓の動作を説明する断面図である。
【００２０】
図１に示すように、ユニットバスなどの浴室１内には浴槽１１と、浴槽１１に給湯可能な水栓２０と、洗い場に設けられたカウンター１２と、カウンターに設けられてシャワー又はカランに切替可能なシャワー水栓１３と、を備えている。
図２に示すように、水栓２０には吐出管２１が設けられ、吐出管２１の先端に、後述するミスト吐出流路２３及びカラン吐出流路２５を備えた複合吐出具２７が装着されている。この複合吐出具２７により、浴槽１１に給湯しながら、ミストを浴室１内に供給することができる。つまり、水栓２０に複合吐出具２７を取り付けることにより、浴槽１１のお湯張りをしながら、ミストで浴室１内の暖房を行うことができる。
なお、水栓２０の設置位置については適宜変更可能であり、例えば、浴槽専用として、浴槽１１のみに湯水を吐出可能な位置に設けてもよい。また、浴槽１１と洗い場の兼用水栓として浴室１内に水栓を１箇所のみ設置するようにしてもよい。さらに、浴槽１１の自動お湯張り機能を有している場合には、洗い場専用の水栓（シャワー水栓）のみを設置してもよい。いずれの場合にしても、水栓の吐出管２１の先端に複合吐出具２７を装着することにより、湯水の吐出だけでなくミストを浴室１内に供給して浴室１内の暖房を行うことができるように構成されていればよい。
【００２１】
図３に示すように、複合吐出具２７は、吐出管２１の一次側流路２９と連通した端部開口に液密に固定された本体部３１を備えている。本体部３１には、一端側が一次側流路２９と連通するように開口したミスト吐出流路２３とカラン吐出流路２５とが形成されている。本体部３１を吐出管２１に固定した状態では、ミスト吐出流路２３とカラン吐出流路２５とが一次側流路２９から分岐して設けられている。
【００２２】
ミスト吐出流路２３の他端側には流体旋回部２８が形成されている。流体旋回部２８は、所定の流速で流体が通過することで他端側端部のミスト吐出口２４からミストを噴出するように構成されている。
具体的には、流体旋回部２８は、ミスト吐出流路２３内に旋回流を形成するフィンが設けられ、旋回流が小径のミスト吐出口２４から噴出されることでミストが形成されるように構成されている。ミスト吐出流路２３は、カラン吐出流路２５に比べて流路抵抗が大きくなっている。
【００２３】
カラン吐出流路２５は、他端側端部のカラン吐出口２６に設けられて吐出する水や湯などの流体を整流化する整流部３３と、ミスト吐出流路２３との流路抵抗の差を低減するための抵抗差低減手段４０と、を備えている。
整流部３３は、多数の孔３４を有するメッシュ等の多孔部材３５を備え、多孔部材３５に流体（湯水）を透過させて外部へ吐出するように構成されている。
【００２４】
本実施形態では、抵抗差低減手段４０として、流路抵抗を可変にすることができる抵抗可変手段４１を用いている。この抵抗可変手段４１としては、カラン吐出流路２５に空気を取込む空気取込部４３を備えたエゼクタ４５を用いている。
エゼクタ４５は、一次側からの流体の流れにより負圧部４６を形成し、負圧により本体部３１の外部に開口した空気取込口４７から空気を吸引し、カラン吐出流路２５を流れる流体中（湯水中）に空気を取り込んで、流体内に多数の気泡を形成することができる。
【００２５】
流体中に気泡が存在することで、該気泡が多孔部材３５の孔３４（整流部３３）を通過しようとするため、その際に孔３４を通過する流体量が一時的に制限される。その結果、カラン吐出流路２５の流路抵抗が一時的に増加することになる。
したがって、抵抗可変手段４１を用いてカラン吐出流路２５の流路抵抗を増加させることにより、ミスト吐出流路２３の流路抵抗との差を低減することができる。
【００２６】
このような水栓２０を用いて浴槽１１に給湯すると、まず図４（ａ）に示されるように、吐出管２１の一次側流路２９を通過した流体が、複合吐出具２７の一端側においてミスト吐出流路２３とカラン吐出流路２５とに分岐してそれぞれの流路に流入する。
するとミスト吐出流路２３の流路抵抗がカラン吐出流路２５の流路抵抗に比べて大きいため、開始時には、カラン吐出流路２５に湯が流れやすく、ミスト吐出流路２３のミスト吐出口２４から吐出されるミストは少量となる。
【００２７】
その後、流体がカラン吐出流路２５を十分な流速で流れることで、エゼクタ４５を介して空気が流体に取り込まれる。すると、図４（ｂ）に示すように、流体中に気泡が形成され、該気泡が整流部３３の多孔部材３５の孔３４を一時的に閉塞することにより流体の流れが阻害される。そして、カラン吐出流路２５の流路抵抗が増大し、ミスト吐出流路２３とカラン吐出流路２５との流路抵抗の差が低減される。
その結果、ミスト吐出流路２３に流体が流入し易くなり、ミストをより多量に噴出することができる。このミストにより、例えば浴室の暖房効果を実現できる。
【００２８】
以上のような第１実施形態の水栓２０によれば、カラン吐出流路２５の流路抵抗とミスト吐出流路２３の流路抵抗との差を抵抗可変手段４１（抵抗差低減手段４０）により低減できる。そのため一次側流路２９からの流体の流れを分岐してカラン吐出流路２５のカラン吐出口２６とミスト吐出流路２３のミスト吐出口２４とから吐出する際、そのままでは流路抵抗が高くて所望の吐出量が得られないミスト吐出流路２３（ミスト吐出口２４）から、より多くのミストを吐出させることができる。これによりミスト吐出口２４およびカラン吐出口２６のいずれの吐出口からも、所望のバランスで湯及びミストを吐出させることが可能である。換言すれば、抵抗可変手段４１によりカラン吐出流路２５の流路抵抗を調整することで、ミスト吐出流路２３との流路抵抗の差を低減して内圧を容易に調整することができる。
【００２９】
また、この水栓２０によれば、抵抗可変手段４１がカラン吐出流路２５に空気を取込む空気取込部４３を備えているため、流体（湯）中に含まれる気泡により流体の流れを阻害してカラン吐出流路２５の流路抵抗を増加させることができる。特に、本実施形態の水栓２０によれば、抵抗可変手段４１がエゼクタ４５で構成されているため、カラン吐出流路２５内の流体の流れで自然に空気を取込むことができる。つまり、簡易な構成のエゼクタ４５を設けることにより、動力を用いることなく空気をカラン吐出流路２５内に取り込むことが可能であり、カラン吐出流路２５とミスト吐出流路２３との流路抵抗の差を容易に低減することができる。
【００３０】
（第１実施形態の変形例）
図５は、第１実施形態の変形例である。この変形例は、空気取込部４３において空気取込口４７の開口面積を可変にした開口可変部４８を有している。その他は第１実施形態と同様である。
【００３１】
このような変形例の水栓２０であっても、第１実施形態と同様の作用効果を得ることができる。しかも空気取込口４７の開口面積を可変にしているため、開口面積を調整することで空気の取込量を容易に、かつ、自由に調整できる。
例えば、図５（ａ）のように開口面積を大きくすることで空気の取込量を多くして、流体（湯）中の気泡量を多くすることができる。すると、整流部３３において多孔部材３５の多数の孔３４を気泡により一時的に閉塞することで、カラン吐出流路２５の流路抵抗をより増加させることができる。一方、図５（ｂ）のように開口面積を小さくすることで空気の取込量を少なくして、流体（湯）中の気泡量を少なくすることができる。すると、整流部３３において多孔部材３５の孔３４を一時的に閉塞する気泡の量が少ないため、カラン吐出流路２５の流路抵抗を図５（ａ）の場合より低減させることができる。
したがって、カラン吐出流路２５とミスト吐出流路２３とにおける流路抵抗の差を自在に調整して、ミストの吐出量を容易に調整することができる。
【００３２】
なお、図５（ａ）、（ｂ）においては、空気取込口４７の大きさ自体が変わっているように記載されているが、このような構成ではなく、空気取込口４７の外周に、空気取込口４７の一部を閉塞させることができるような部材を設け、該部材を動かすことにより空気取込口４７の開口面積を可変できるようにしてもよい。
【００３３】
また、第１実施形態は本発明の範囲において適宜構成を変更可能である。例えば、空気取込部４３としてエゼクタ４５を用いたが、例えばエアポンプ等を用いてカラン吐出流路２５に空気を強制的に取り込ませてもよい。
【００３４】
（第２実施形態）
次に、第２実施形態について図６〜図９を用いて説明する。図６は本実施形態に係る水栓の吐出管における先端部の断面図、図７は本実施形態の水栓の断面積可変手段における回転羽根車及び散水板の平面図、図８は本実施形態の水栓の断面積可変手段における回転羽根車及び散水板の連通状態を示す図、図９は本実施形態の水栓の断面積可変手段における回転羽根車及び散水板の閉塞状態を示す図である。
【００３５】
第２実施形態では、図６に示すように、抵抗差低減手段４０として、第１実施形態の抵抗可変手段４１の空気取込部４３を設ける代わりに、カラン吐出流路２５に流路断面積を可変にするための断面積可変手段５１を設けている。その他の構成は第１実施形態と同様である。
断面積可変手段５１は、カラン吐出流路２５を塞ぐように配置され、互いに隣接してカラン吐出流路２５内の流れで相対回転する第１の板及び第２の板としての散水板５３及び回転羽根車５４を有している。回転羽根車５４はカラン吐出流路２５内に設けられた回転軸部材５７の軸部５７ａに対して回転可能に取り付けられており、該軸部５７ａを中心に回転するように構成されている。なお、本実施形態では、散水板５３及び回転羽根車５４がカラン吐出流路２５全体を塞ぐ大きさで形成されているが、一部を塞ぐ大きさで形成されていてもよい。
【００３６】
図７（ａ）に示すように、散水板５３は、カラン吐出流路２５の流体の流れ方向と直交する方向に配置される平面視円形の板状部材を有している。散水板５３は、複合吐出具２７の本体部３１に支持固定されている。散水板５３には、貫通孔からなる連通開口部５５ａが中心軸Ｃ周りの円周方向に略等間隔に複数形成されており（本実施形態では４箇所）、隣り合う連通開口部５５ａ，５５ａ間が平坦な閉塞部５６ａとなっている。
【００３７】
図７（ｂ）に示すように、回転羽根車５４は、散水板５３と流体の流れ方向に沿う方向に隣接して対向配置される平面視円形の板状部材からなり、散水板５３に対して中心軸Ｃ周りに回転自在に配置されている。この回転羽根車５４は、散水板５３の連通開口部５５ａと同じ円周上に同じピッチで、散水板５３の連通開口部５５ａより小さい連通開口部５５ｂが形成されている。そして、隣り合う連通開口部５５ｂ，５５ｂ間が閉塞部５６ｂとなっている。
【００３８】
散水板５３と回転羽根車５４とはカラン吐出流路２５における流体の流れにより相対回転可能に形成されている。具体的には、回転羽根車５４の上流側の表面には羽根が形成されており、該羽根に流体が接触することにより、回転羽根車５４が中心軸Ｃ周りに回転できるように構成されている。また、散水板５３は本体部３１に支持固定されているため、流体が流れることにより散水板５３と回転羽根車５４とは相対回転する。
散水板５３と回転羽根車５４とが相対回転すると、図８（ａ）のように散水板５３の連通開口部５５ａと回転羽根車５４の連通開口部５５ｂとが重なる位置に配置された状態では、図８（ｂ）のように、カラン吐出流路２５内の流体（湯）が断面積可変手段５１を通過してカラン吐出口２６から吐出される。
一方、図９（ａ）のように、散水板５３の連通開口部５５ａと回転羽根車５４の閉塞部５６ｂとが重なるとともに、散水板５３の閉塞部５６ａと回転羽根車５４の連通開口部５５ｂとが重なる位置に配置された状態では、図９（ｂ）のように、カラン吐出流路２５内の流体（湯）は断面積可変手段５１により閉塞され、吐出されない。
つまり、この断面積可変手段５１では散水板５３と回転羽根車５４との相対回転により、カラン吐出流路２５内の流体の流れ方向と直交する断面積が連続的に変化するように構成されている。
【００３９】
このような水栓２０により浴槽１１に給湯する場合には、図８（ａ）、（ｂ）のように断面積可変手段５１においてカラン吐出流路２５の断面積が最大となるときには、ミスト吐出流路２３（ミスト吐出口２４）から吐出されるミストの量が少なくなり、カラン吐出流路２５から浴槽１１に給湯する流量が多くなる。
一方、図９（ａ）、（ｂ）のように断面積可変手段５１でカラン吐出流路２５の断面積が最小（面積ゼロ）となって閉塞したときには、ミスト吐出流路２３（ミスト吐出口２４）から吐出されるミストの量が多くなり、カラン吐出流路２５から浴槽１１に給湯する流量が少なくなる。
そして、回転羽根車５４は、流体が流れることにより散水板５３に対して常に相対回転しているため、断面積可変手段５１に形成される開口面積は連続的に変化することになる。つまり、流体（湯）を流している間、ミストと湯をバランスよく供給することができる。
【００４０】
以上のような第２実施形態の水栓２０においても、第１実施形態と同様に、カラン吐出流路２５の流路抵抗とミスト吐出流路２３の流路抵抗との差を断面積可変手段５１（抵抗差低減手段４０）により低減できる。そのため一次側流路２９からの流体の流れを分岐してカラン吐出流路２５のカラン吐出口２６とミスト吐出流路２３のミスト吐出口２４とから吐出する際、そのままでは流路抵抗が高くて所望の吐出量が得られないミスト吐出流路２３（ミスト吐出口２４）から、より多くのミストを吐出させることができる。これによりミスト吐出口２４とカラン吐出口２６のいずれの吐出口からも、所望のバランスで湯及びミストを吐出させることが可能である。換言すれば、断面積可変手段５１によりカラン吐出流路２５の流路断面積を可変にしているため、カラン吐出流路２５の流路断面積により容易に流路抵抗を調整でき、カラン吐出流路２５とミスト吐出流路２３との内圧を容易に調整できる。
【００４１】
さらに、第２実施形態の水栓２０では、散水板５３及び回転羽根車５４がカラン吐出流路２５内の流体の流れで相対回転することで流路断面積を連続的に増減でき、カラン吐出流路２５とミスト吐出流路２３とにおける流路抵抗の差を容易に低減させることができる。
【００４２】
なお、第２実施形態も本発明の範囲において適宜構成を変更可能である。例えば、上記の断面積可変手段５１では回転羽根車５４の回転により、複数の連通開口部５５ａが同時に開口するとともに同時に閉塞するように構成したが、開口部の大きさを調整し、連通開口部５５ａ，５５ｂの一部が開口するとともに他の一部が閉塞するように構成したものであってもよい。また、本実施形態では、散水板５３を本体部３１に支持固定したが、散水板５３も本体部３１に対して回転可能に支持してもよい。
また上記では、各連通開口部５５ａを円形の孔として形成したが、回転羽根車５４及び散水板５３の連通開口部５５ａ，５５ｂの形状は何ら限定されない。
さらに上記では、抵抗差低減手段４０として、第１実施形態の抵抗可変手段４１の代わりに、断面積可変手段５１を設けたが、第１実施形態の抵抗可変手段４１と第２実施形態の断面積可変手段５１との両方を組み合わせて設けることも可能であり、さらに他の実施形態と組み合わせてもよい。
【００４３】
（第３実施形態）
次に、第３実施形態について図１０を用いて説明する。図１０は第３実施形態における水栓の先端部の断面図である。
この水栓２０では、抵抗差低減手段４０として、第１実施形態のような抵抗可変手段４１のエゼクタ４５を設ける代りに、カラン吐出流路２５に断面積可変手段１５１を設けている。この実施形態における断面積可変手段１５１としては、開度を調整可能なボールバルブなどの弁５８を設けている。
【００４４】
このような水栓２０では、図１０（ａ）に示すように、弁５８の開度を大きくすると、カラン吐出流路２５の流路抵抗を小さくすることになり、カラン吐出口２６から浴槽１１に給湯される流量を多くして、ミスト吐出流路２３（ミスト吐出口２４）から浴室１内に供給されるミストの吐出量を少なくすることができる。
一方、図１０（ｂ）に示すように、弁５８の開度を小さくすると、カラン吐出流路２５の流路抵抗を大きくすることになり、カラン吐出口２６から浴槽１１に給湯される流量を少なくして、ミスト吐出流路２３（ミスト吐出口２４）から浴室１内に供給されるミストの吐出量を多くすることができる。
【００４５】
このような水栓２０においても、第２実施形態と同様に、ミスト吐出流路２３とカラン吐出流路２５とから所望のバランスでミストと湯を吐出させることが可能である。
また、第３実施形態の水栓によれば、開度を調整可能な弁５８によりカラン吐出流路２５の断面積を可変にしたため、容易に流路断面積を調整できてミスト吐出流路２３とカラン吐出流路２５との流路抵抗の差を低減（調整）することができる。
【００４６】
なお、第３実施形態も本発明の範囲において適宜構成を変更可能である。例えば、本実施形態の構成（断面積可変手段１５１）と、他の実施形態における抵抗差低減手段４０とを組み合わせて用いてもよい。
【００４７】
（第４実施形態）
次に、第４実施形態について図１１を用いて説明する。図１１は第４実施形態における水栓の先端部の断面図である。
この水栓２０では、抵抗差低減手段４０として、吐出管２１の一次側流路２９からミスト吐出流路２３へ流入する流体量と、一次側流路２９からカラン吐出流路２５へ流入する流体量とのバランスを可変にした分配量可変手段６１を設けている。
【００４８】
分配量可変手段６１は、一次側流路２９と本体部３１との間に設けられた略板状の部材で構成されており、一次側流路２９と本体部３１の流路（ミスト吐出流路２３およびカラン吐出流路２５）とを連通させるための貫通孔（開口部６５）が形成されている。また、分配量可変手段６１は、吐出管２１に対して相対移動させることができ、一次側流路２９とミスト吐出流路２３との連通開口面積、および、一次側流路２９とカラン吐出流路２５との連通開口面積を可変できるように構成されている。つまり、分配量可変手段６１の位置を調整することにより、ミスト吐出流路２３へ供給する流量とカラン吐出流路２５へ供給する流量とを容易に調整することができる。
【００４９】
具体的には、本実施形態の分配量可変手段６１は、一次側流路２９に沿ってスライド可能に配置され、端部に形成された操作部６２が水栓２０の吐出管２１から突出した板状体６３を備えている。板状体６３には一次側流路２９とミスト吐出流路２３及びカラン吐出流路２５との間を連通及び閉塞可能な開口部６５が形成されている。
【００５０】
板状体６３は、操作部６２によりスライドさせることで、一次側流路２９とミスト吐出流路２３との間を連通する開口面積と、一次側流路２９とカラン吐出流路２５との間を連通する開口面積と、を容易に調整することができる。そのためこれらの開口面積を調整することで、一次側流路２９からミスト吐出流路２３とカラン吐出流路２５とに分配する流体量を調整することが可能である。
【００５１】
この実施形態では、図１１（ａ）に示すように、開口部６５がミスト吐出流路２３のみを臨むように位置させることで、流体の全量がミスト吐出流路２３に流入し、大量のミストを浴室１内に吐出することができる。
また、図１１（ｂ）に示すように、開口部６５の大半がミスト吐出流路２３を臨むように（カラン吐出流路２５にはわずかに臨むように）位置させることで、カラン吐出流路２５（カラン吐出口２６）から浴槽１１に少量の湯を供給しつつ、ミスト吐出流路２３（ミスト吐出口２４）からミストを多量に吐出させることができる。
さらに、図１１（ｃ）に示すように、開口部６５の大半がカラン吐出流路２５を臨むように（ミスト吐出流路２３にはわずかに臨むように）位置させることで、カラン吐出流路２５（カラン吐出口２６）から浴槽１１に多量の湯を供給しつつ、ミスト吐出流路２３（ミスト吐出口２４）からも少量のミストを吐出させることができる。なお、この場合は、ミストを吐出可能な圧力及び流速でミスト吐出流路２３に流体（湯）を流入させればよい。
そして、図１１（ｄ）に示すように、開口部６５がカラン吐出流路２５のみを臨むように位置させることで、流体の全量がカラン吐出流路２５に流入し、浴槽１１に大量の湯を供給することができる。
【００５２】
第４実施形態の水栓２０によれば、分配量可変手段６１により一次側流路２９からの流体をカラン吐出流路２５とミスト吐出流路２３へ分配できるようにした。つまり、カラン吐出流路２５とミスト吐出流路２３への流体の流入量を可変にしたため、カラン吐出流路２５とミスト吐出流路２３とへの流入割合を容易に調整できる。そのため、カラン吐出流路２５とミスト吐出流路２３における流路抵抗の差を低減させることが可能で、各吐出流路２３，２５の内圧を容易に調整できる。そのため分岐して設けられたカラン吐出流路２５とミスト吐出流路２３との流量を調整して所望のバランスで湯とミストを吐出させることが可能である。
【００５３】
なお、第４実施形態も本発明の範囲において適宜構成を変更可能である。例えば、本実施形態の構成（分配量可変手段６１）と、他の実施形態における抵抗差低減手段４０とを組み合わせて用いてもよい。
さらに上記第１乃至第４実施形態では、主として分岐した複数の流路のうち、流路抵抗の低いカラン吐出流路２５に対し、流路抵抗を増加させる手段を用いることで、ミスト吐出流路２３から吐出させるミストの量を増やす構成を説明したが、特に限定されるものではなく、流路抵抗の高いミスト吐出流路２３の流路抵抗を低下する手段を採用することも可能であり、カラン吐出流路２５とミスト吐出流路２３との流路抵抗の差を低減できる限り適宜選択可能である。
また、上記第１乃至第４実施形態では、何れもカラン吐出流路２５から吐出させた湯を浴槽１１に使用したが、浴槽１１以外に使用することも可能である。
【００５４】
また、本実施形態では、ミスト吐出流路２３とカラン吐出流路２５とを備えた複合吐出具２７について説明したが、吐出流路が２つ以上形成されたものに採用してもよく、用途についても特に限定されない。
さらに、本実施形態の複合吐出具２７は、水栓２０の吐出管２１に対してネジで着脱できるものであってもよい。この場合、新品の水栓２０に用いるだけでなく、既存設置された水栓にも取り付けることができ、容易に浴室１内にミストを供給する機能を付加することができる。
そして、本実施形態の複合吐出具２７は、水栓２０の吐出管２１の先端に取り付けた場合の説明をしたが、それに限らず、給湯配管の途中に設置してミストが吐出できるようにしてもよい。
【符号の説明】
【００５５】
２０…水栓
２１…吐出管
２３…ミスト吐出流路
２４…ミスト吐出口
２５…カラン吐出流路
２６…カラン吐出口
２７…複合吐出具
２９…一次側流路
３１…本体部
３３…整流部
３４…孔
３５…多孔部材
４０…抵抗差低減手段
４１…抵抗可変手段
４３…空気取込部
４５…エゼクタ
４７…空気取込口
４８…開口可変部
５１，１５１…断面積可変手段
５３…散水板（第１の板）
５４…回転羽根車（第２の板）
５５ａ，５５ｂ…連通開口部
５６ａ，５６ｂ…閉塞部
５８…弁
６１…分配量可変手段
６５…開口部
【図１】
2018053520.tif 000003
【図２】
2018053520.tif 000004
【図３】
2018053520.tif 000005
【図４】
2018053520.tif 000006
【図５】
2018053520.tif 000007
【図６】
2018053520.tif 000008
【図７】
2018053520.tif 000009
【図８】
2018053520.tif 000010
【図９】
2018053520.tif 000011
【図１０】
2018053520.tif 000012
【図１１】
2018053520.tif 000013